(57)【特許請求の範囲】
【請求項１】
操作者が、個人を一意に識別可能なカードをリーダライタに読み込ませて、読み込ませた時点の時刻の記録を行う時刻記録装置であって、
操作者が本人であるか否か確認する認証手段と、
カードが指定のリーダライタでしか読書きできないように制御する装置指定手段と、
常に外部から正確な時刻を入手する時刻入手手段と、
操作者が本人であるか否かの確認を行い、操作者が本人であることが確認された場合に限り、外部から入手した時刻と、カードの記録に用いるリーダライタの情報をカードに記録する記録手段と、
を備えたことを特徴とする時刻記録装置。
【請求項２】
請求項１記載の時刻記録装置であって、
前記カードが、
個人情報、読取装置情報および時刻を記録する記録部と、
指定のリーダライタ以外から記録部の情報を読み書きすることを防止する情報隠蔽手段と、
を備えたことを特徴とする時刻記録装置。
【請求項３】
請求項１または２記載の時刻記録装置であって、
前記リーダライタが、
前記認証手段と、
前記時刻入手手段と、
を備えたことを特徴とする時刻記録装置。
【発明の詳細な説明】
【０００１】
【発明の属する技術分野】
本発明は、カードのリーダライタに操作者を識別するカードを読み込ませることにより、カードを読み込ませた時刻を記録する時刻記録装置に関するものである。
【０００２】
【従来の技術】
従来、従業員の出退勤を管理するために、日付を印刷した用紙をレコーダと呼ばれる装置に挿入し、挿入した時点の時刻を打刻すなわち印字して記録する時刻記録装置が利用されてきた。
【０００３】
近年の情報化の推進において、日付を印刷した用紙に打刻する方式から、磁気またはＩＣを搭載したカードとカードリーダを用いて、出退勤のデータを一元的に管理する時刻記録システムも一般的になってきている。
【０００４】
【発明が解決しようとする課題】
しかしながら、従来においては、以下のような問題がある。すなわち、従来の時刻記録装置や時刻記録システムにおいては、本人以外が操作することで偽って時刻を記録することが可能である。
【０００５】
また、複数の時刻記録装置やカードリーダを使用するため、印字または記録される時刻は、必ずしも装置間で一致せず、精度が悪いという問題がある。
【０００６】
上記課題を解決するため、本発明では、本人が操作した正確な時刻を記録および証明するための時刻記録装置を提供することを目的とする。
【０００７】
【課題を解決するための手段】
上記目的を達成するために、本発明の第１の態様は、操作者が個人を一意に識別可能なカードをリーダライタに読み込ませて読み込ませた時点の時刻の記録を行う時刻記録装置において、操作者が本人であるか否か確認する認証手段と、カードが指定のリーダライタでしか読書きできないように制御する装置指定手段と、常に外部から正確な時刻を入手する時刻入手手段と、操作者が本人であるか否かの確認を行い、操作者が本人であることが確認された場合に限り、外部から入手した時刻とカードの記録に用いるリーダライタの情報をカードに記録する記録手段を設けたものである。
【０００８】
本発明の第２の態様は、上述の第１の態様に係る時刻記録装置において、前記カードに、個人情報、読取装置情報および時刻を記録する記録部と、指定のリーダライタ以外から記録部の情報を読み書きすることを防止する情報隠蔽手段とを設けたものである。
【０００９】
本発明の第３の態様は、上述の第１または第２の態様に係る時刻記録装置において、前記リーダライタに、前記認証手段と、前記時刻入手手段とを設けたものである。
【００１０】
【発明の実施の形態】
以下、本発明を図示する実施形態に基づいて説明する。
図１は、本発明の時刻記録装置の一構成例であり、時刻記録装置１は、ＩＣカード２と、ＩＣカードのリーダライタ３から構成されている。また、図示してはいないが、ＩＣカード２に対して、情報の読書きが可能なリーダライタ３を予め指定する装置指定手段も有している。
【００１１】
ＩＣカード２の一実施例を図２に示す。ＩＣカード２は、非接触型のＩＣカードであり、所有者を一意に識別可能な所有者ＩＤや所有者の氏名などの個人情報および時刻の記録に用いたリーダライタの情報を記録する記録部４と、指定のリーダライタでしか該ＩＣカード２が記録する情報を読み出せないように制御する情報隠蔽手段５のソフトウェアとをＩＣ部６に有しており、アンテナ部７を介して外部と情報のやり取りを行う。
【００１２】
リーダライタ３は、図３に示すように、操作者がＩＣカード２の所有者であることを確認するために用いる認証手段８と、外部から正確な時刻を入手できる電波時計などの時刻入手手段１２と、ＩＣカード２に情報を時刻やリーダライタの識別子を書き込む記録手段１３を有している。
【００１３】
リーダライタ３は、ＩＣカード２を読書きできる装置であり、通常ＰＣなどのリーダライタを制御する装置に、１台または複数台接続されており、各々の内部にリーダライタ３を一意に特定できる識別子を保持している。
【００１４】
認証手段８は、指紋あるいは網膜など操作者の身体の一部をパターンとして認識するためのスキャナ９と、スキャナ９で読み取ったパターンと予め登録しておいたパターン情報１０とを照合する照合部１１を有している。
【００１５】
次に、本発明の時刻記録装置１の動作を、図４を用いて詳細に説明する。装置指定手段により、ＩＣカード２を発行する時点またはＩＣカード２の有効期間内のいずれかの時点において、予め、該ＩＣカード２の情報を読み出すことのできるリーダライタの識別子の一つまたは複数をＩＣカード２の記録部４に記録しておく。
【００１６】
時刻を記録しようとする操作者が、該操作者が所有するＩＣカード２をリーダライタ３に読み込ませた際、ＩＣカード２はリーダライタ３の識別子をアンテナ部７を介して受け取り、予め記録しているリーダライタの識別子と対照を行う。
【００１７】
リーダライタ３から受け取った識別子と記録していた識別子が一致しない場合は、ＩＣカード２は、情報隠蔽手段５により、リーダライタ３がＩＣカード２の情報を読み出すことを禁止する。
【００１８】
リーダライタ３から受け取った識別子と記録していた識別子が一致する場合、カードリーダ３は、アンテナ部７を介してＩＣカード２の記録部４から個人情報を読み出す。
【００１９】
操作者は、リーダライタ３が個人情報を読み出した後、認証手段８が有するスキャナ９により、指紋あるいは網膜など操作者の身体の一部をパターンとして認識させる。
【００２０】
照合部１１により、認識したパターンと、予め登録しておいた指紋あるいは網膜などのパターン情報１０とを照合し、更に照合したパターン情報１０がＩＣカード２から読み出した個人情報が示す本人のものであること、すなわち操作者がＩＣカード２の所有者であり、尚且つ本人であることを確認する。
【００２１】
操作者がＩＣカード２の所有者であり、尚且つ本人であることが確認できた場合、時刻入手手段１２が内蔵しているアンテナなどで受信した標準時電波により正確な時刻を得て、ＰＣなどの制御により、記録手段１３を用いて記録部４に時刻とリーダライタ３の識別子を記録する。
【００２２】
以上、本発明を実施の形態に基づいて詳細に説明してきたが、本発明による時刻記録装置は、上記実施の形態に何ら限定されるものではなく、本発明の趣旨を逸脱しない範囲において種々の変更が可能であることは当然のことである。
【００２３】
例えば、時刻記録装置１を管理コンピュータと通信回線で接続した場合、ＩＣカード２に時刻とリーダライタ３の識別子を記録するだけでなく、同時に管理コンピュータにも時刻とリーダライタ３の識別子を記録し、一元的に管理することも可能である。
【００２４】
また、ＩＣカード２は、接触型のＩＣカードを用いることも可能である。この場合、ＩＣカード２をリーダライタ３に挿入することにより、リーダライタ３に情報の読書きをさせることができる。
【００２５】
また、設置したリーダライタ３に、リーダライタ３の識別子以外に設置されている場所の情報を持たせることにより、出退勤管理だけでなく、警備などの巡回チェックにおいて、該巡回場所をチェックした時刻を正確に記録することが可能になる。
【００２６】
【発明の効果】
以上のとおりであるから、本発明に係る時刻記録装置によれば、情報隠蔽手段５および認証手段８を用いて操作者がＩＣカード２の所有者であり、尚且つ本人であることが確認できた場合だけ時刻を記録するため、なりすましによる偽った時刻の記録を防止することができる。
【００２７】
また、本発明の時刻記録装置１は、時刻入手手段１２により標準時電波などの正確な時刻を常に受信しているため、複数の時刻記録装置１が存在しても、全ての時刻記録装置１が同一の時刻を保持しており、正確な時刻を記録することができる。
【図面の簡単な説明】
【図１】  本発明の一実施の形態を示す装置の構成図である。
【図２】  本発明のＩＣカードの一実施形態を示す構成図である。
【図３】  本発明のリーダライタの一実施例を示す構成図である。
【図４】  本発明の一実施の形態の動作を示すフローチャートである。
【符号の説明】
１  時刻記録装置
２  ＩＣカード
３  リーダライタ
４  記録部
５  情報隠蔽手段
６  ＩＣ部
７  アンテナ部
８  認証手段
９  スキャナ
１０  パターン情報
１１  照合部
１２  時刻入手手段
１３  記録手段
【図１】
0003868801.tif 000002
【図２】
0003868801.tif 000003
【図３】
0003868801.tif 000004
【図４】
0003868801.tif 000005